(57)【要約】【課題】より小さなレイアウト面積および好適なガンマ補正機能を有するソースドライバおよびそのガンマ補正方法を提供する。【解決手段】ソースドライバが、ガンマ補正ユニットと、ラッチユニットと、デジタルアナログ変換器とを含む。ガンマ補正ユニットがオリジナルイメージデータを受信し、オリジナルイメージデータを対応する補正されたイメージデータに変換する。ラッチユニットがガンマ補正ユニットに連結される。デジタルアナログ変換器がラッチユニットに連結され、補正イメージデータを対応するアナログドライブ信号に変換する。ガンマ補正方法中、最初に、オリジナルイメージデータを対応する補正イメージデータに補正する補正ユニットが提供され、補正イメージデータが対応するアナログドライブ信号に変換される。【選択図】図３
2008281979.tif 000002
【特許請求の範囲】
【請求項１】
オリジナルイメージデータを受信するとともに、前記オリジナルイメージデータを対応する補正イメージデータに変換するガンマ補正ユニットと、
前記ガンマ補正ユニットに連結され、前記補正イメージデータをラッチするラッチユニットと、
前記ラッチユニットに連結され、前記ラッチユニットによってラッチされた前記補正イメージデータを対応するアナログドライブ信号に変換するデジタルアナログ変換器(digital-to-analog converter = DAC)と
を含むソースドライバ。
【請求項２】
前記ガンマ補正ユニットが、
ルックアップテーブルであって、前記ガンマ補正ユニットが前記オリジナルイメージデータに基づき前記対応する補正イメージデータを前記ルックアップテーブルから得ることができるルックアップテーブルを含む請求項１記載のソースドライバ。
【請求項３】
前記ルックアップテーブルがメモリ内に記憶される請求項２記載のソースドライバ。
【請求項４】
前記メモリが不揮発性メモリである請求項３記載のソースドライバ。
【請求項５】
前記補正イメージデータのビット数が前記オリジナルデータのビット数よりも大きいソースドライバ。
【請求項６】
前記アナログドライブ信号のレベルが前記補正イメージデータに比例する請求項１記載のソースドライバ。
【請求項７】
前記デジタルアナログ変換器が線形デジタルアナログ変換器を含む請求項１記載のソースドライバ。
【請求項８】
前記線形デジタルアナログ変換器が、
基準電圧を受信する第１入力端および前記アナログドライブ信号を出力する出力端を含む増幅器と、
第２入力端および前記増幅器の前記出力端にそれぞれ接続される２端を含む第１レジスタと、
次の変換ステージの第２端に接続される第１端および前記増幅器の前記第２入力端に接続される最後の変換ステージの第１端をそれぞれ含む複数の変換ステージと
を含み、そのうち、各変換ステージが、
前記補正イメージデータのビットの制御に基づき電流を出力するか否かを決定する制御電流源ユニットと、
それぞれ前記変換ステージの前記第１端および前記第２端として提供する第１端および第２端を含む第２レジスタであって、前記第２レジスタの前記第２端が前記制御電流源ユニットに接続される第２レジスタと、
第３レジスタであって、前記第２レジスタの前記第２端に接続される第１端および接地された前記第３レジスタの第２端を含む第３レジスタと、
を含む請求項７記載のソースドライバ。
【請求項９】
前記変換ステージの第１変換ステージ中、前記第２レジスタの抵抗が前記第３レジスタの抵抗に等しく、残りの前記変換ステージ中、前記第３レジスタの抵抗が前記第２レジスタの抵抗の2倍である請求項８記載のソースドライバ。
【請求項１０】
前記制御電流源ユニットが、
固定電流を提供する電流源と、
前記電流源および前記第２レジスタ間に連結されるスイッチであって、前記補正イメージデータのビットの制御に基づき前記固定電流を前記スイッチを介して通過させるか否かを決定するスイッチと
を含む請求項８記載のソースドライバ。
【請求項１１】
前記ラッチユニットが、
ラッチタイミングに基づき前記補正イメージデータをラッチし、前記ラッチ結果を出力するサンプルメモリと、
前記サンプルメモリに連結され、線ラッチ信号に基づき前記サンプルメモリの出力を格納し、記憶結果を出力するホールドメモリと、
前記ホールドメモリと前記デジタルアナログ変換器との間に連結されるレベルシフタと
を含む請求項１記載のソースドライバ。
【請求項１２】
更に、前記ラッチユニットに接続され、前記ラッチタイミングを提供するシフトレジスタを含む請求項１１記載のソースドライバ。
【請求項１３】
更に、前記デジタルアナログ変換器およびディスプレイパネル間に連結される出力バッファを含む請求項1記載のソースドライバ。
【請求項１４】
前記ディスプレイパネルが液晶ディスプレイパネルである請求項１３記載のソースドライバ。
【請求項１５】
補正ユニットを提供することと、
オリジナルイメージデータを前記補正ユニットを介して対応する補正イメージデータに変換することと、
前記補正イメージデータを対応するアナログドライブ信号に変換することと
を含むソースドライバのガンマ補正方法。
【請求項１６】
前記補正ユニットがルックアップテーブルである請求項１５記載のソースドライバのガンマ補正方法。
【請求項１７】
前記ルックアップテーブルがメモリ内に記憶される請求項１６記載のソースドライバのガンマ補正方法。
【請求項１８】
前記メモリが不揮発性メモリである請求項１７記載のソースドライバのガンマ補正方法。
【請求項１９】
前記補正イメージデータのビットが前記オリジナルイメージデータのビットよりも大きいものである請求項１５記載のソースドライバのガンマ補正方法。
【請求項２０】
前記アナログドライブ信号がディスプレイパネルを駆動することに使用される請求項１５記載のソースドライバのガンマ補正方法。
【請求項２１】
前記ディスプレイパネルが液晶ディスプレイパネルである請求項２０記載のソースドライバのガンマ補正方法。
【発明の詳細な説明】
【技術分野】
【０００１】
本発明は、ソースドライバに関する。特に、本発明は、より小さなレイアウト面積および好適なガンマ補正機能を有してディスプレイパネルを駆動するソースドライバおよびガンマ補正方法に関する。
【背景技術】
【０００２】
現在、ディスプレイパネルは、テレビセットおよびコンピュータスクリーンのような様々な製品に広く利用されている。ディスプレイパネルは、ディスプレイパネルを駆動するためのソースドライバを必要とし、ソースドライバのガンマ補正機能によってイメージの輝度を制御し、好適なイメージ品質を達成する。
【０００３】
図１は、従来のソースドライバの回路図である。従来のソースドライバは、複数のソースドライブユニット１０と、シフトレジスタ１１と、ガンマ基準電圧発生ユニット１２とを含む。各ソースドライブユニット１０がシフトレジスタ１１の各対応する出力端に連結される。ガンマ基準電圧発生ユニット１２が各ソースドライブユニット１０に連結される。各ソースドライブユニット１０が更にサンプルメモリ１０１と、ホールドメモリ１０２と、レベルシフタ１０３と、非線形デジタルアナログ変換器(digital-to-analog converter = DAC)１０４とを含む。サンプルメモリ１０１が各ソースドライブユニット１０内でホールドメモリ１０２に連結される。ホールドメモリ１０２がレベルシフタ１０３に連結される。レベルシフタ１０３が非線形デジタルアナログ変換器１０４に連結される。操作原理は、シフトレジスタ１１がクロック信号ＣＬＫを介してスタートパルスＳＴＰを取り込み、スタートパルスＳＴＰに順にシフトアクションを実行し、ラッチタイミングを提供する。ラッチタイミングが各ソースドライブユニット１０内でサンプルメモリ１０１を起動して（trigger）イメージデータＩＮを取り込む。サンプル時間の終了時、線ラッチ信号ＬＳが各ソースドライブユニット１０内でホールドメモリ１０２を制御し、サンプルメモリ１０１内のデータがホールドメモリ１０２内に格納され（stored）、ホールドメモリ１０２のデータがレベルシフタ１０３に出力される。
【０００４】
イメージデータＩＮは、低電圧で操作するデジタル信号であるが、各ソースドライブユニット１０は、ディスプレイパネル１４を駆動するため高電圧信号を必要とする。従って、レベルシフタ１０３がホールドメモリ１０２により出力されたデータにレベルシフトを実行し、データのレベルがアナログ回路をプッシュする（pushing）レベルに到達する。その後、イメージデータが非線形デジタルアナログ変換器１０４に入力される（enter）。非線形デジタルアナログ変換器１０４がガンマ基準電圧発生ユニット１２により提供されたガンマ基準電圧に基づき、入力されたデータを対応するアナログドライブ信号に変換し、アナログドライブ信号出力バッファ１３に送信する。出力バッファ１３が内部アナログドライブ信号を出力してディスプレイパネル１４を駆動する。従来技術中、ガンマ基準電圧発生ユニット１２が各ガンマ基準電圧のレベルを調整し（trims）、それによりガンマ補正機能を実現する（fulfill）。
【０００５】
図２は、ガンマ基準電圧発生ユニット１２および非線形デジタルアナログ変換器１０４の回路図である。図２において、ガンマ基準電圧発生ユニット１２は、複数の可変（variable）レジスタＲ１，Ｒ２，Ｒ３...ＲＭと、複数の基準レジスタＲｆと、複数の演算増幅器ＯＰとによって構成される。非線形デジタルアナログ変換器１０４がデコーダ１０４１と、セレクタ１０４２と、複数の基準レジスタＲｆと、複数の演算増幅器ＯＰと、複数の固定（fixed）レジスタＲＡ１，ＲＡ２，ＲＡ３...ＲＡＭとを含む。ガンマ基準電圧発生ユニット１２が基準電圧Ｖｆに外部接続され、複数の可変レジスタＲ１〜ＲＭの抵抗を調節して複数のガンマ基準電圧レベルを発生する。ガンマ基準電圧発生ユニット１２内の各演算増幅器ＯＰが受信した電圧信号を適切に増幅し、発生された電圧信号を各ソースドライブユニット１０内の非線形デジタルアナログ変換器１０４に送信する。
【０００６】
非線形デジタルアナログ変換器１０４がガンマ基準電圧発生ユニット１２から基準電圧を受信し、供給電圧ＶＣＣに外部接続される。複数の固定レジスタＲＡ１〜ＲＡＭおよび非線形デジタルアナログ変換器１０４内の複数の演算増幅器ＯＰが複数の変換ステージを形成する。変換ステージを介して、ガンマ基準電圧発生ユニット１２からの基準電圧が複数の電圧レベルを発生してセレクタ１０４２に供給し、選択的に出力する。非線形デジタルアナログ変換器１０４中、入力データＤがデコーダ１０４１によりデコードされ、デコードされたデータがセレクタ１０４２に送信される。セレクタ１０４２が複数のスイッチによって構成される。セレクタ内のスイッチがデコーダから送信されるデータＤによって制御され、セレクタが電圧レベルを選択的に出力し、アナログドライブ信号を入力データに対応させるよう提供する。
【発明の開示】
【発明が解決しようとする課題】
【０００７】
しかしながら、この変換方式（scheme）は、より大量のレジスタ、スイッチおよび演算増幅器を必要とするので、ソースドライバのレイアウト面積が非常に大きくなる。図１において、ディスプレイパネル１４が１０２４本のデータ線を有し、イメージデータＩＮが８ビットデータである場合、ソースドライバが１０２４個の非線形デジタルアナログ変換器１０４を必要とし、非線形デジタルアナログ変換器１０４が２8個のレジスタ、スイッチおよび演算増幅器ＯＰを必要とする。即ち、ソースドライバが少なくとも２8×１０２４＝２６２１４４個のレジスタ、スイッチおよび演算増幅器ＯＰを必要とする。このように、従来のソースドライバのレイアウト面積は、非常に大きいものである。更に、従来技術中、各可変レジスタＲ１，Ｒ２，Ｒ３...ＲＭの抵抗率が精確に調整されなければならないので、製造コストの削減が困難になっている。
【０００８】
上記のように、従来のソースドライバ内の非線形デジタルアナログ変換器は、より大量のレジスタ、演算増幅器およびスイッチを必要とするが、通常、製造コストを削減するために、チップのレイアウト面積は、減少されなければならない。従って、より大量のレジスタ、演算増幅器および変換器は、チップのレイアウト面積を拡大し、生産コストを増加するので、現在の軽く、薄く、短く、小さくする趨勢に合っていない。更に、非線形デジタルアナログ変換器の精度は、レジスタのマッチング程度（matching degree）（即ち、ブリーダ（bleeder）レジスタの抵抗率）に依存し、多数のレジスタが精確なマッチングを必要とし、レイアウトプロセスの時間が大量に消費される。
【０００９】
従って、ソースドライバの製造業者は、皆、上記の問題を克服する解決方法を緊急に求めている。
【００１０】
本発明は、ソースドライバおよびそのガンマ補正方法を提供し、回路レイアウト面積を減少させ、製造コストを削減し、ガンマ補正機能を改良することを目的とする。
【課題を解決するための手段】
【００１１】
本発明が提供するソースドライバは、ガンマ補正ユニットと、ラッチユニットと、デジタルアナログ変換器(digital-to-analog converter = DAC)とを含む。ガンマ補正ユニットがオリジナルイメージデータを受信することおよびオリジナルイメージデータを対応する補正イメージデータに変換することに使用され、それによりガンマ補正機能を達成する。ラッチユニットがガンマ補正ユニットに連結され、ガンマ補正されたイメージデータをラッチすることに使用される。デジタルアナログ変換器がラッチユニットに連結され、ラッチユニットによってラッチされた補正イメージデータを対応するアナログドライブ信号に変換することに使用され、ディスプレイパネルを駆動する。
【００１２】
本発明の実施形態において、ガンマ補正ユニットが更にルックアップテーブルを含み、ガンマ補正ユニットがオリジナルイメージデータに基づきルックアップテーブルから対応する補正イメージデータを得る。
【００１３】
本発明の実施形態において、デジタルアナログ変換器が更に増幅器と、レジスタと、複数の変換ステージとを含む。増幅器の第１入力端が基準電圧を受信し、その出力端がアナログドライブ信号を出力する。第１レジスタの出力端がそれぞれ第２入力端および増幅器の出力端に連結される。各変換ステージの第１端が次の変換ステージの第２端に接続され、最後の変換ステージの第１端が増幅器の第２入力端に接続される。
【００１４】
本発明の実施形態に係るソースドライバおよびそのガンマ補正方法中、補正イメージデータのビットがオリジナルイメージデータのビットより大きいので、好適な解析度（resolution）を得て、ガンマ補正機能を強化する。
〔作用〕
【００１５】
上記のように、本発明は、補正イメージデータを得るためのガンマ補正方法を提供する。本発明のソースドライバがガンマ補正ユニットを使用してガンマ補正機能を実行するので、ソースドライバが線形デジタルアナログ変換器を採用することができる。従って、本発明は、ソースドライバのチップ面積を減少させ、製造時のレイアウトプロセスの抵抗マッチング時間を短縮することができ、ソースドライバの製造コストを削減させることができる。本発明の実施形態において、対応する補正イメージデータのビットがオリジナルイメージデータのビットより大きいので、解析度（resolution）を増加させ、好適なガンマ補正機能を得る。
【発明の効果】
【００１６】
本発明によって提供されるソースドライバおよびそのガンマ補正方法に基づき、ガンマ補正方法が提供されて補正イメージデータが得られる。本発明の実施形態中、ソースドライバがガンマ補正ユニットを採用し、デジタルアナログ変換器が線形デジタルアナログ変換器の構造を採用して線形的に補正イメージデータを変換し、アナログドライブ信号を得ることができる。従って、本発明がソースドライバのチップ面積を減少させ、製造時のレイアウトプロセスの抵抗マッチング時間を短縮し、それによりソースドライバの製造コストを削減することができる。更に、本発明により提供されるソースドライバおよびそのガンマ補正方法に基づき、対応する補正イメージデータのビットがオリジナルイメージデータのビットよりも大きく、解析度が増大され、それにより好適なガンマ補正機能を得る。
【発明を実施するための最良の形態】
【００１７】
図３は、本発明の実施形態に係るソースドライバの回路図である。ソースドライバが複数のソースドライブユニット３０およびシフトレジスタ３１を含む。シフトレジスタ３１のトリガ端がクロック信号ＣＬＫを受信し、シフトレジスタ３１の入力端がスタートパルスＳＴＰを受信する。各ソースドライブユニット３０が対応するシフトレジスタ３１の出力端に連結される。各ソースドライブユニット３０がガンマ補正ユニット３０１と、ラッチユニット３０２と、デジタルアナログ変換器(digital-to-analog converter = DAC)３０３とを含む。ガンマ補正ユニット３０１の入力端がオリジナルイメージデータＩＮを受信することに使用される。ラッチユニットがサンプルメモリ３０２１と、ホールドメモリ３０２２と、レベルシフタ３０２３とを含む。サンプルメモリ３０２１の入力端がガンマ補正ユニット３０１の出力端に連結され、サンプルメモリ３０２１の出力端がホールドメモリ３０２２の入力端に連結される。ホールドメモリ３０２２のトリガ端が線ラッチ信号ＬＳによって制御される。ホールドメモリ３０２２の出力端がレベルシフタ３０２３の入力端に連結され、レベルシフタ３０２３の出力端が線形デジタルアナログ変換器３０３の入力端に連結される。
【００１８】
ガンマ補正ユニット３０１がオリジナルイメージデータＤ１を受信することおよびオリジナルイメージデータＤ１を対応する補正イメージデータＤ２に変換することに使用される。シフトレジスタ３１がクロック信号ＣＬＫを介してスタートパルスＳＴＰを取得し、スタートパルスＳＴＰに順にシフトアクションを実行し、ラッチタイミングを発生して各ソースドライブユニット３０内のサンプルメモリ３０２１を制御する。ソースドライブユニット３０のサンプルメモリ３０２１がラッチタイミングによって起動される（triggered）時、サンプルメモリ３０２１が補正イメージデータＤ２を取得する。ホールドメモリ３０２２が線ラッチ信号ＬＳによって起動される時、ホールドメモリ３０２２がサンプルメモリ３０２１に格納されたデータを取得する。その後、ホールドメモリ３０２２がレベルシフタ３０２３に記憶結果(storage result)を出力する。レベルシフタ３０２３が補正後の入力データにレベルシフトを実行し、データのレベルがアナログ回路を駆動するレベルに到達し、レベルシフト後のデータがデジタルアナログ変換器３０３に送信される。しかしながら、データのレベルがアナログ回路を駆動するレベルに到達する場合、レベルシフタ３０２３が取り除かれることができ、デジタルアナログ変換器３０３がホールドメモリ３０２２に直接連結される。デジタルアナログ変換器３０３がラッチユニットのデータを受信し、受信したデータを対応するアナログドライブ信号に変換する。
【００１９】
線形デジタルアナログ変換器３０３の出力端が更に出力バッファ３２の入力端に連結され、出力バッファ３２の出力端がディスプレイパネル３３に連結される。出力バッファ３２がデジタルアナログ変換器３０３によって変換されたアナログドライブ信号を受信し、アナログドライブ信号をディスプレイパネル３３に送信し、ディスプレイパネル３３を駆動する。ディスプレイパネル３３が液晶ディスプレイ（Liquid Crystal Display = LCD）パネル、有機エレクトロルミネッセンス（electroluminescence ＝ EL）ディスプレイパネル等であることができる。
【００２０】
続いて、図３および図４において、図４に示すように、ガンマ補正ユニット３０１がルックアップテーブル３０１１を含む。ルックアップテーブル３０１１がオリジナルイメージデータを対応する補正イメージデータに変換する。変換方式は、図５中に説明され、イメージデータＤ１がＩＤ１２８である時、補正イメージデータＤ２がＯＤ２５００であり、イメージデータＤ１がＩＤ８００である時、補正イメージデータＤ２がＯＤ１７６０である。残りのイメージデータＤ１および対応する補正イメージデータＤ２が同一の方式中の類推によって演繹することができる。
【００２１】
なお、ガンマ補正ユニット３０１がルックアップテーブル３０１１を使用して実行されるが、ガンマ補正ユニット３０１の実行（implementation）は、それに限定されるものでない。ガンマ補正ユニット３０１が入力データＤ１に演算を実行する演算論理回路として設計され、対応する補正イメージデータＤ２を出力することもできる。
【００２２】
ルックアップテーブル３０１１が、例えば、不揮発性メモリのようなメモリ内に記録される。メモリ内のルックアップテーブル３０１１の内容を更新することによって、ユーザがガンマ曲線を簡単に変えることができる（例えば、図５に示すようである）。ガンマ補正機構がデジタル方式で実行されるので、本実施形態のガンマ補正が精度の要求を満足することができ、コストが効率的に削減されることができる。
【００２３】
図６は、本発明の実施形態に基づくＲＯＭ６０の構造としてルックアップテーブル３０１１の実行を示している。しかしながら、本発明の実施形態に基づくソースドライバ内のルックアップテーブル３０１１の実行は、それに限定されるものではなく、ＥＰＲＯＭ、ＥＥＰＲＯＭおよびフラッシュメモリのような他の不揮発性メモリ構造を介して実現されることができる。ユーザが異なるガンマ変換曲線に基づきルックアップテーブル３０１１の内容を簡単に変えることできるので、イメージ品質（quality）の多様な要求に合わせることができる。
【００２４】
次に、図３および図７において、本発明の実施形態に係るソースドライバに従来のソースドライバより好適な解析度を持たせ、より良好なガンマ補正機能を達成させるため、本発明の実施形態に係るソースドライバ中、補正イメージデータのビットがオリジナルイメージデータのビットよりも大きいものである。図７Ａおよび図７ＢがＭビットの補正イメージデータおよび（Ｍ＋２）ビットの補正イメージデータの解析度の説明図および図５のガンマ変換曲線中の区間５１０の表示を拡大した曲線である。図７Ａにおいて、Ｍビットが補正イメージデータを表すことに使用される場合、入力ＭビットオリジナルイメージデータＤ１が順にＸ０，Ｘ１，Ｘ２，Ｘ３，Ｘ４である時、補正イメージデータＤ２が順にＹ２，Ｙ１，Ｙ１，Ｙ１，Ｙ１である。即ち、異なるグレースケールを表すデータＸ１，Ｘ２，Ｘ３，Ｘ４が同一のグレースケールのデータＹ１に変換されることができる。（Ｍ＋２）ビットが補正イメージデータを表すことに使用される場合、好適な解析度が得られる。例えば、図７Ｂにおいて、入力ＭビットオリジナルイメージデータＤ１が順にＸ０，Ｘ１，Ｘ２，Ｘ３，Ｘ４である時、補正イメージデータＤ２が順にＹ２，Ｙ１３，Ｙ１２，Ｙ１１，Ｙ１である。言い換えれば、イメージデータＸ１，Ｘ２，Ｘ３，Ｘ４の補正イメージデータが、もはやＹ１ではなく、異なるグレースケールを表すデータＹ１３，Ｙ１２，Ｙ１１，Ｙ１である。
【００２５】
従って、解析度は、補正イメージデータのビットをオリジナルイメージデータのビットよりも大きくすることにより向上され、好適なガンマ補正機能が得られる。本発明の好適な実施形態のシミュレーション結果に基づき、補正イメージデータのビットがオリジナルイメージデータのビットよりも２ビット大きい時、より良好なガンマ補正機能が達成され、補正イメージデータのビットが大きいほど、より良好な解析度となる。ユーザが要求に基づいて本実施形態中の補正イメージデータＤ２のビットを決定することができる。
【００２６】
更に、図３および図８は、図３中のデジタルアナログ変換器３０３の回路図を示している。ここでは、補正イメージデータＤ２のビットがＮであると仮定するので、レベルシフタ３０２３により出力されるデータのビットがＮである。図８において、デジタルアナログ変換器３０３が増幅器８０と、第１レジスタ８１と、複数の変換ステージ８２，８３，８４...８Ｎとを含む。増幅器８０の第１入力端が基準電圧Ｖｆに接続され、その出力端がアナログドライブ信号を出力することに使用される。第１レジスタ８１の２端がそれぞれ第２入力端および増幅器の出力端に接続される。複数の変換ステージ８２〜８Ｎについて、各変換ステージ８２〜８Ｎ−１の第１端が次の変換ステージ８３〜８Ｎの第２端に接続され、最後の変換ステージ８Ｎの第１端が増幅器８０の第２入力端に接続される。
【００２７】
変換ステージ８２〜８Ｎがそれぞれ制御電流源（controlled current source）ユニット８２０，８３０...８Ｎ０と、第２レジスタ８２１，８３１...８Ｎ１と、第３レジスタ８２２，８３２...８Ｎ２とを含む。制御電流源ユニット８２０〜８Ｎ０がそれぞれ更に電流源８２００，８３００...８Ｎ００およびスイッチ８２０１，８３０１...８Ｎ０１を含む。各第２レジスタ８２１〜８Ｎ１の第１端および第２端がそれぞれ各変換ステージ８２〜８Ｎの第１端および第２端として提供される。各第２レジスタ８２１〜８Ｎ１の第２端が各制御電流源８２０〜８Ｎ０に接続される。各第３レジスタ８２２〜８Ｎ２の第１端が各第２レジスタの第２端に接続され、各第３レジスタ８２２〜８Ｎ２の第２端が接地される。スイッチ８２０１〜８Ｎ０１がそれぞれ電流源８２００〜８Ｎ００と第２レジスタ８２１〜８Ｎ１との間に連結される。
【００２８】
線形変換を達成するため、変換ステージ８２〜８Ｎ間の第１変換ステージ８２中、第２レジスタ８２１の抵抗が第３レジスタ８２２のそれと類似し、他の変換ステージ８３〜８Ｎ中、各第３レジスタ８３２〜８Ｎ２の抵抗が第２レジスタ８３１〜８Ｎ１の抵抗のほぼ２倍である。補正イメージデータがデジタルアナログ変換器３０３に入力される時、スイッチ８２０１〜８Ｎ０１がそれぞれレベルシフタ３０２３の出力データの各ビットによって制御され、電流源８２００〜８Ｎ００によりそれぞれ提供される固定電流を対応するスイッチ８２０１〜８Ｎ０１を介して通過させるか否かが制御される。従って、制御電流源ユニット８２０〜８Ｎ０がレベルシフタ３０２３の出力データに基づき電流を出力させるか否かを決定する。第２レジスタ８２１〜８Ｎ１および第３レジスタ８２２〜８Ｎ２が制御電流源ユニット８２０〜８Ｎ０により出力された電流を電圧信号に変換する。増幅器８０が電圧信号を増幅し、補正イメージデータＤ２に比例したアナログドライブ信号を発生する。更に、並列に接続されたデジタルアナログ変換器を有する回路およびその回路の適切な制御によって、本実施形態により提供されるドライバがディスプレイパネルの極性反転問題を処理することができ、それにより従来のソースドライバの極性反転機能を達成する。このように、本発明のソースドライバは、多くの点で従来のソースドライバよりも優れている。
【００２９】
デジタルアナログ変換器３０３は、通常のＲ−２Ｒ梯子構造（ladder structure）を含む。そのようなデジタルアナログ変換器を採用することによって、本発明の実施形態に係るソースドライバが必要とする抵抗、スイッチおよび演算増幅器が従来のソースドライバよりも少なくなる。ソースドライバがＲ−２Ｒ構造の１０２４個の線形デジタルアナログ変換器を有し、Ｎ＝８であると仮定すると、１０２４×（８×２＋１）＝１７４０８個の抵抗、１０２４×（８）＝８１９２個のスイッチと電流源、および１０２４個の演算増幅器のみが要求される。本発明の実施形態中、デジタルアナログ変換器３０３が上記方式で実行されるが、実際上、同一の目的のために他の方式を採用することもでき、例えば、複数レジスタストリング構造（Multiple resistor string）のデジタルアナログ変換器を採用することができる。
【００３０】
表１は、図２中の非線形デジタルアナログ変換器１０４および図８中の線形アナログデジタル変換器３０３によって要求されるレジスタおよびスイッチの数量の比較を説明するために使用される。表１から明らかであるように、本実施形態は、線形デジタルアナログ変換器を採用できるので、ソースドライブユニット３０の回路面積を大幅に減少させることができる。パネルディスプレイデバイスの高いグレースケール（イメージデータのビットが大きいほど大きくなる）および大きな面積（要求されるソースドライブユニット３０の数量が大きいほど大きくなる）の現在の発展傾向の下、本実施形態は、パネルディスプレイデバイスの発展の要求をより好適に満たすことができる。
【００３１】
表１は、図２中の非線形デジタルアナログ変換器１０４および図８中の線形デジタルアナログ変換器３０３間の比較表である（イメージデータのビットは、Ｎであると仮定する）。
【００３２】
【表１】
2008281979.tif 000003
【００３３】
図９において、上記実施形態のガンマ補正方法のフローチャートが示される。その方法は、ステップ９０において、補正ユニットを提供することと、ステップ９１において、補正ユニットによってオリジナルイメージデータを対応する補正イメージデータに変換し、ガンマ補正機能を達成することと、ステップ９２において、デジタルアナログ変換器によって補正イメージデータに線形デジタルアナログ変換を実行することとを含む。デジタルアナログ変換器が対応する補正イメージデータを対応するアナログドライブ信号に線形的に変換し、液晶ディスプレイパネルであることができるディスプレイパネルを駆動する。
【００３４】
以上のごとく、この発明を最良の実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００３５】
【図１】従来のソースドライバの回路図である。
【図２】従来のソースドライバ内のガンマ基準電圧発生ユニットおよび非線形デジタルアナログ変換器(digital-to-analog converter = DAC)の回路図である。
【図３】本発明の実施形態に係るソースドライバのシステムの回路図である。
【図４】本発明の実施形態に係るガンマ補正ユニットの回路図である。
【図５】本発明の実施形態に係るガンマ曲線図である。
【図６】本発明の実施形態に係るＲＯＭの回路図である。
【図７Ａ】Ｍビット補正後のイメージデータの解析度の説明図である。
【図７Ｂ】（Ｍ＋２）ビット補正後のイメージデータの解析度の説明図である。
【図８】本発明の実施形態に係るデジタルアナログ変換器(digital-to-analog converter = DAC)の回路図である。
【図９】本発明の実施形態に係るガンマ補正方法のフローチャートである。
【符号の説明】
【００３６】
１０  ソースドライブユニット
１０１  サンプルメモリ
１０２  ホールドメモリ
１０３  レベルシフタ
１０４  非線形デジタルアナログ変換器
１０４１  デコーダ
１０４２  セレクタ
１１  シフトレジスタ
１２  ガンマ基準電圧発生ユニット
１３  出力バッファ
１４  ディスプレイパネル
３０  ソースドライブユニット
３０１  ガンマ補正ユニット
３０１１  ルックアップテーブル
３０２  ラッチユニット
３０２１  サンプルメモリ
３０２２  ホールドメモリ
３０２３  レベルシフタ
３０３  デジタルアナログ変換器
３１  シフトレジスタ
３２  出力バッファ
３３  ディスプレイパネル
５１０  区間
６０  ＲＯＭ
８０  増幅器
８１  第１レジスタ
８２，８３...８Ｎ  変換ステージ
８２０，８３０...８Ｎ０  制御電流源ユニット
８２００，８３００...８Ｎ００  電流源
８２０１，８３０１...８Ｎ０１  スイッチ
８２１，８３１...８Ｎ１  第２レジスタ
８２２，８３２...８Ｎ２  第３レジスタ
９０，９１，９２  ステップ
ＣＬＫ  クロック信号
Ｄ  入力データ
Ｄ１ オリジナルイメージデータ
Ｄ２  補正イメージデータ
ＩＮ  イメージデータ
ＬＳ  線ラッチ信号
Ｒ１，Ｒ２，Ｒ３...ＲＭ  可変レジスタ
Ｒｆ  基準レジスタ
ＳＴＰ  スタートパルス
ＶＣＣ  供給電圧
Ｖｆ  基準電圧
【図１】
2008281979.tif 000004
【図２】
2008281979.tif 000005
【図３】
2008281979.tif 000006
【図４】
2008281979.tif 000007
【図５】
2008281979.tif 000008
【図６】
2008281979.tif 000009
【図７Ａ】
2008281979.tif 000010
【図７Ｂ】
2008281979.tif 000011
【図８】
2008281979.tif 000012
【図９】
2008281979.tif 000013
【外国語明細書】
2008281979.tif 000014
2008281979.tif 000015
2008281979.tif 000016
2008281979.tif 000017
2008281979.tif 000018
2008281979.tif 000019
2008281979.tif 000020
2008281979.tif 000021
2008281979.tif 000022
2008281979.tif 000023
2008281979.tif 000024
2008281979.tif 000025
2008281979.tif 000026
2008281979.tif 000027
2008281979.tif 000028
2008281979.tif 000029
2008281979.tif 000030
2008281979.tif 000031
2008281979.tif 000032
【図１】
2008281979.tif 000033
【図２】
2008281979.tif 000034
【図３】
2008281979.tif 000035
【図４】
2008281979.tif 000036
【図５】
2008281979.tif 000037
【図６】
2008281979.tif 000038
【図７Ａ】
2008281979.tif 000039
【図７Ｂ】
2008281979.tif 000040
【図８】
2008281979.tif 000041
【図９】
2008281979.tif 000042